(57)【特許請求の範囲】
【請求項１】
本体ケースに、濡れた手を乾燥させる空気を吹き出すノズル部と、前記ノズル部に空気を送出するファンモーターと、前記ファンモーターから送出される空気を加熱する加熱手段と、前記ファンモーターへの空気の吸気口とを備え、前記吸気口は前記ノズル部が空気を吹き出す空間から吸気する位置に設けられるとともに、前記吸気口には、吸気流に含まれる水滴が付着する複数の板材を前記吸気流に沿う方向に配置した整流板が設けられていることを特徴とする手乾燥装置。
【請求項２】
整流板の板材の配置間隔を使用者の指が内部に入らない程度の寸法とした請求項１に記載の手乾燥装置。
【請求項３】
整流板の板材を湾曲した形状とした請求項１または２に記載の手乾燥装置。
【請求項４】
吸気口に、吸気流の流れに直交する方向に設けられ、その端部側に流路が形成された遮蔽板を設けることを特徴とする請求項１記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速空気流により手に付着した水滴を吹き飛ばし乾燥させる手乾燥装置が知られている（例えば、特許文献１参照）。
【０００３】
以下、その手乾燥装置について図１０を参照しながら説明する。
【０００４】
図に示すように本体ケース１０１は、前面と天面と両側面を形成するフロントケース１０２と、壁面を形成するリアケース１０３で外装を形成している。本体ケース１０１には、送風手段１０４と、この送風手段１０４と連通し送風空気を吹き出す吹き出しノズル１０５と、電装部品を制御する制御手段１０６を設けている。送風手段１０４は送風空気を発生させるブロアモーター１０７と送風ケース１０８からなる。吹き出しノズル１０５内の風路には送風空気を温風にする発熱手段１０９を設けている。本体ケース１０１の下面には、吹き出しノズル１０５の吹き出し口１０５ａと、送風空気を本体ケース１０１内部に取り込む吸気口１１０とが設けられている。
【特許文献１】特許第３９７０７６２号公報（０００７段落，図１）
【発明の開示】
【発明が解決しようとする課題】
【０００５】
このような従来の手乾燥装置では、ノズル部から吹き出す空気を十分に確保するために、また、使用者から見えにくいようにするために、ファンモーターへの吸気口は、ノズル部から吹き出す空気で手を乾燥する空間から吸気する構成としていたため、極端に水滴が多いような使用状況によっては、吹き飛ばされた水滴を多量に吸い込んで故障の原因となったり、指を故意に突っ込んで可動部や電装部に触れてしまったりしないように、吸気口の大きさを制限しなければならなかったという課題がある。
【０００６】
本発明は、このような従来の課題を解決するものであり、乾燥性能を十分に確保するとともに、品質および安全性を向上させた手乾燥装置を提供することを目的とする。
【課題を解決するための手段】
【０００７】
本発明の手乾燥装置は、上記目的を達成するために、本体ケースに、濡れた手を乾燥させる空気を吹き出すノズル部と、前記ノズル部に空気を送出するファンモーターと、前記ファンモーターから送出される空気を加熱する加熱手段と、前記ファンモーターへの空気の吸気口とを備え、前記吸気口は前記ノズル部が空気を吹き出す空間から吸気する位置に設けられるとともに、前記吸気口には、吸気流に含まれる水滴が付着する複数の板材を前記吸気流に沿う方向に配置した整流板が設けられているものである。
【０００８】
また、他の手段は、整流板の板材の配置間隔を使用者の指が内部に入らない程度の寸法としたものである。
【０００９】
また、他の手段は、整流板の板材を湾曲した形状としたものである。
【００１０】
また、他の手段は、吸気口に、吸気流の流れに直交する方向に設けられ、その端部側に流路が形成された遮蔽板を設けるものである。
【発明の効果】
【００１４】
本発明によれば、ファンモーターへの空気の吸気口がノズル部が空気を吹き出す空間から吸気する位置に設けられるとともに、前記吸気口には、吸気流に含まれる水滴が付着する複数の板材を前記吸気流に沿う方向に配置した整流板が設けられていることにより、整流板の整流効果によってファンモーターへの吸気流の増加および騒音の低減がなされるとともに、整流板によって濡れた手から吹き飛ばされ飛散する水滴が本体ケース内に侵入するのが阻止されて、品質を確保することができるという効果のある手乾燥装置を提供することができる。
【００１５】
また、整流板の板材の配置間隔を使用者の指が内部に入らない程度の寸法としたことにより、送風性能を確保するとともに、安全性および品質を向上させることができる。
【００１６】
また、整流板の板材を湾曲した形状としたことにより、水滴の本体ケース内への侵入阻止効果がより大きくなる。
【００１７】
また、吸気口に、吸気流の流れに直交する方向に設けられ、その端部側に流路が形成された遮蔽板を設けることにより、水滴の遮蔽板への衝突および付着した水滴の乾燥により、本体ケース内への侵入阻止をより効率よく達成できる。
【発明を実施するための最良の形態】
【００２１】
本発明の請求項１記載の手乾燥装置は、吸気口がノズルにより空気を吹き出す空間から吸気する位置に設けられるとともに、前記吸気口には、吸気流に含まれる水滴が付着する複数の板材を前記吸気流に沿う方向に配置した整流板が設けられているものであり、吸気口から流入する空気を整流して、送風性能を向上させるとともに、ノズル部から吹き出される空気によって濡れた手から吹き飛ばされ飛散する水滴は、吸気流とともに吸気口から流入する際に整流板に触れて付着し、内部への侵入が阻止されるという作用を有する。
【００２２】
また、請求項２記載の手乾燥装置は、整流板の板材の配置間隔を使用者の指が内部に入らない程度の寸法としたものであり、吸気口の大きさは所定の面積を確保しても、整流板間の板材の間隔を使用者の指が入らない程度の寸法とすることで、送風性能を確保するとともに、使用者の指の内部進入防止および異物の侵入防止を図ることができる。
【００２３】
また、請求項３記載の手乾燥装置は、整流板の板材を湾曲した形状としたものであり、整流板の板材を湾曲した形状とすることにより、板材の表面積が大きくなり、吸気流に含まれる水滴の付着量が増加する。
【００２４】
また、請求項４記載の手乾燥装置は、吸気口に、吸気流の流れに直交する方向に設けられ、その端部側に流路が形成された遮蔽板を設けることとしたものであり、手を乾燥させる空間に飛散して吸気口に流入する吸気流に含まれる水滴は、吸気流に直交する方向に設けられた遮蔽板に衝突して付着し、そして、付着した水滴は乾燥した空気が流入する際に乾され、付着した状態が継続することがなく、本体ケース内部への進入をより効率よく阻止できるという作用を有する。
【００２８】
以下、本発明の実施の形態について、図１〜９を参照しながら説明する。
【００２９】
（実施の形態１）
図１に示すように、本体ケース１の内部に、高速の空気流を送出するファンモーター２と、ファンモーター２から送出する空気を加熱する加熱装置３とを設けている。また、本体ケース１の下部に、ファンモーター２から送出され加熱手段３で加熱されてなる温風を下方に向けて吹き出すノズル部４と、ファンモーター２への吸気流の入口となる吸気口５とを設けており、吸気口５は、ノズル部４が空気を吹き出す空間である手挿入空間６から吸気する位置に設けられることとなる。吸気口５がこの位置に設けられることにより、本体ケース１の後方から吸気するような構成と比べて、広い手挿入空間６から吸気してファンモーター２への吸気風量を十分に確保でき、また、ノズル部４から吹き出す加熱された空気を吸気する循環流が形成されて温度特性が向上し、乾燥性能を十分に確保できる。
【００３０】
そして、吸気口５には、図２に示すように、複数の板材７ａを吸気流に沿う方向に平行に並べてなる整流板７が設けられている。
【００３１】
上記構成の手乾燥装置において、使用者が濡れた手を乾燥するために手を手挿入空間６に挿入すると、図示しない検知手段が手を検知して、ファンモーター２が駆動され高速の空気流を送出するとともに、加熱手段３が通電され空気流を加熱して温風をノズル部４から手に向かって吹き出す。
【００３２】
この運転によって、吸気流が吸気口５に吸込まれていくが、図１１に示す吸気口１１０が単に開口している従来からのものでは、実線の矢印で示すように急縮小し吸込まれていく吸気流が、図１１の点線の矢印で示すように、吸気口１１０を通過するとき流れが乱れて渦が発生して損失や騒音を発生することがあったが、実施の形態１では吸気口５整流されて吸気流量の増加および騒音の低減がなされることとなる。
【００３３】
また、図３に示すように、ノズル部４から吹き出される空気によって濡れた手から吹き飛ばされて飛散し、吸気流に含まれる水滴は、整流板７を通過する時に板材７ａの面に付着し、本体ケース１内部への侵入が阻止される。そして、付着した水滴はファンモーター２が停止し通風がなくなると、自重で下方へ落下し、板材７ａに付着した水滴が、次の運転で内部に吹き込まれることはない。
【００３４】
また、図４に示すように、板材７ａ間の間隔は人の指が入らない程度の大きさとしているので、使用者が故意に指を突っ込み内部の可動部や電装部に触れるという危険性がなくなる。
【００３５】
このように、実施の形態１の手乾燥装置によれば、吸気風量の増加による送風性能の向上で手の乾燥性能を十分に確保できるとともに、低騒音で品質及び安全性を向上させた手乾燥装置を提供できる。
【００３６】
（実施の形態２）
実施の形態２は、上記実施の形態１に対し、図５に示すように、整流版７Ｂの板材７ｂを湾曲した形状としたことに特徴がある。
【００３７】
板材７ｂの形状を湾曲させることにより板材７ｂの表面積が大きくなり、吸気流が整流板７Ｂを通過するときに、吸気流に含まれる水滴の板材７ｂへの付着量が増加し、水滴の本体ケース１内部への侵入効果がより大きくなる。
【００３８】
（参考例１）
参考例１は、上記実施の形態１に対し、図６に示すように、吸気口５に吸気流が流入して流れていく方向に直行する方向に遮蔽板８を設け、遮蔽板８の端部側に流路を設けたことに特徴がある。
【００３９】
上記構成により、吸気口５に流入する吸気流は、図６の実線の矢印で示すように遮蔽板８に衝突した後端部側に流れて内部に流入していき、吸気流に含まれる水滴は、図６の点線の矢印で示すように遮蔽板８に付着する。水滴の遮蔽板８への付着は遮蔽板８が吸気流に対して直交する方向に配設されているので効果的で、水滴の内部への侵入阻止を効率よく行うことが出来る。そして、遮蔽板８に付着した水滴は、ファンモーター２の通風が停止すると自重で下方に落下し、次の運転による通風で内部に進入することはない。
【００４０】
なお、本参考例１では遮蔽板８を２枚配設したものを示したが、もっと多くしても、または一枚でもよく、吸気風量と水滴の付着効果との関係等を考慮して決めればよい。
【００４１】
（参考例２）
参考例２は、上記参考例１に対し、図７に示すように、遮蔽板８Ｂを吸気口５側が凸形状になるように湾曲させたことに特徴がある。
【００４２】
上記構成により、遮蔽板８Ｂは湾曲して表面積が大きくなり、吸気流に含まれる水滴の付着量が増加し、また、吸気流が湾曲した面に沿って滑らかに流れるため、水滴の本体ケース１内への侵入阻止を効率よく達成できるとともに、送風性能を向上させることができる。
【００４３】
（参考例３）
参考例３は、上記参考例１に対し、図８に示すように、複数の遮蔽板８を互い違いに配置して千鳥状に設けたことに特徴がある。
【００４４】
上記構成により、千鳥状に配置した遮蔽板８が吸気口５における吸気流流入方向の投影面全域を遮蔽するようになり、吸気流は遮蔽板８間を曲折しながら流れていく。そして吸気流が流れていく時、含有する水滴が遮蔽板８に付着して内部へは侵入しない。遮蔽板８に付着した水滴は自重で落下するか、落下しない物は吸気流の風が継続される過程で蒸発して消失するため、次の手の乾燥運転時の吸気流に乗って本体ケース１内へ侵入することはない。
【００４５】
（実施の形態３）
実施の形態３は、図９に示すように、吸気口５の入口側に複数の板材７ａを吸気流に沿う方向に配置した整流板７を設け、その下流側に吸気流の流れに直交する方向に配置され、その端部側に流路が形成される遮蔽板８を設けたことに特徴がある。
【００４６】
上記構成により、吸気口５に流入する吸気流は、まず整流板７によって整流され吸気流量の増加および騒音の低減と水滴の内部への侵入阻止がなされ、次に下流の遮蔽板８によってさらに水滴の内部への侵入が阻止される。
【産業上の利用可能性】
【００４７】
本発明に係る手乾燥装置は、乾燥性能を十分に確保すると共に、水滴の侵入が確実に阻止されるので、しっかりと洗浄し水が多量に付いた手を、使用頻度高く乾燥するような場所で使用される乾燥装置としてより有用である。
【図面の簡単な説明】
【００４８】
【図１】本発明の実施の形態１の手乾燥装置を示す側構成図
【図２】同手乾燥装置の吸気口部を示す模式図
【図３】図２のＡ部詳細図
【図４】同吸気口に設けた整流板の構成を示す模式図
【図５】本発明の実施の形態２の手乾燥装置の吸気口部を示す模式図
【図６】本発明の参考例１の手乾燥装置の吸気口部を示す模式図
【図７】本発明の参考例２の手乾燥装置の吸気口部を示す模式図
【図８】本発明の参考例３の手乾燥装置の吸気口部を示す模式図
【図９】本発明の実施の形態３の手乾燥装置の吸気口部を示す模式図
【図１０】従来の手乾燥装置の側構成図
【図１１】整流板を有していない吸気口における吸気流の状態を示す参考模式図
【符号の説明】
【００４９】
１    本体ケース
２    ファンモーター
３    加熱手段
４    ノズル部
５    吸気口
６    手挿入空間
７    整流板
７Ｂ  整流板
７ａ  板材
７ｂ  板材
８    遮蔽板
８Ｂ  遮蔽板
【図１】
0004293270.tif 000002
【図２】
0004293270.tif 000003
【図３】
0004293270.tif 000004
【図４】
0004293270.tif 000005
【図５】
0004293270.tif 000006
【図６】
0004293270.tif 000007
【図７】
0004293270.tif 000008
【図８】
0004293270.tif 000009
【図９】
0004293270.tif 000010
【図１０】
0004293270.tif 000011
【図１１】
0004293270.tif 000012